(57)【特許請求の範囲】
【請求項１】
ユーザーの状態に応じて表示色が変わるスマートウォッチであって、
表示部を有する出力部と、
ユーザーまたはユーザーの周りの測定対象に対する状態情報を収集するセンサー部と、
予め保存された状態組み合わせ情報と収集された前記状態情報とを比較して、前記状態組み合わせ情報の中から、前記状態情報に符合するいずれか一つの状態組み合わせ情報を選択し、前記選択された状態組み合わせ情報にマッチした一つの表示色を出力するように前記出力部を制御する制御部と、を含み、
前記状態組み合わせ情報は、複数の測定対象の値を等級別に細分化し、各測定対象を細分化レベル別に組み合わせて作成された複数の状態組み合わせと、該複数の状態組み合わせの各々に対して決定された表示色とを含む、
スマートウォッチ。
【請求項２】
前記センサー部は、
温度センサー、脈拍センサー、血圧センサー、加速度センサー、ＧＰＳセンサー、ジャイロセンサーおよび光センサーの少なくとも一つのセンサーと、
カメラまたはマイクを含む入力装置とを含んで構成されることを特徴とする、請求項１に記載のスマートウォッチ。
【請求項３】
前記表示色は、
待機状態の前記表示部を介して出力される表示部の画面色であるか、または、
機能実行中に前記表示部を介して出力されるアイコンまたはイメージのテーマ色であることを特徴とする、請求項１に記載のスマートウォッチ。
【請求項４】
収集された前記状態情報は、前記測定対象別に定められる細分化レベルに基づいてレベルが決定され、
前記レベルが決定された前記測定対象別の情報が組み合わせられることを特徴とする、請求項１に記載のスマートウォッチ。
【請求項５】
保存部をさらに含んでなり、
前記細分化レベルに基づいてレベルを決定するために前記測定対象別に予め定められる基準値が前記保存部に保存され、
前記制御部は、前記基準値と前記状態情報とを比較して前記測定対象の測定値に対するレベルを決定することを特徴とする、請求項４に記載のスマートウォッチ。
【請求項６】
前記制御部は、
前記レベルが決定されて組み合わされた前記状態情報と、複数の前記状態組み合わせとを比較して、マッチする前記状態組み合わせを検索し、前記検索された状態組み合わせに対応して保存された表示色を出力するように前記出力部を制御することを特徴とする、請求項５に記載のスマートウォッチ。
【請求項７】
前記スマートウォッチは、
親装置である携帯端末との通信のためのＲＦ部をさらに含んで構成され、
親装置である前記携帯端末の機能の一部を代理して行い、前記ユーザーの身体に着用される装置であることを特徴とする、請求項１乃至６のいずれか一項に記載のスマートウォッチ。
【請求項８】
前記状態情報は、
前記スマートウォッチおよび前記携帯端末の少なくとも一つで収集されることを特徴とする、請求項７に記載のスマートウォッチ。
【請求項９】
前記状態情報の細分化レベルの判断および前記表示色の決定過程は、前記スマートウォッチまたは前記携帯端末によって行われることを特徴とする、請求項７に記載のスマートウォッチ。
【請求項１０】
前記携帯端末は、決定された表示色が出力されるように前記携帯端末の出力部を制御することを特徴とする、請求項７に記載のスマートウォッチ。
【発明の詳細な説明】
【技術分野】
【０００１】
本発明は、スマートウォッチに係り、ユーザーの気分や状態を様々な方法で測定してユーザーの気分に応じてウェアラブル補助装置の表示色を変更することができるようにすることにより、スマート装置の個性を表現するとともにスマート装置の変色によってユーザーの気分を転換することができるようにした、ユーザーの状態に応じて表示色が変わるスマートウォッチに関する。
【背景技術】
【０００２】
最近、携帯端末は、人々が最も多く接触し、携帯して利用する電子装置となった。このような携帯端末は、単に通話のみを行った固定電話の機能を脱して久しいが、最近では、ユーザーの必要目的に応じて特定の機能を提供する機能性装置だけでなく、余暇時間を過ごすのに重要な役割を果たすゲーム器具の役目もしている。
【０００３】
このような傾向を反映するように、最近では、携帯端末の機能が複雑かつ様々になりながら大きさも大きくなっており、これにより携帯端末の携帯性がますます低下している。このため、近年では、携帯端末の機能のうち、単純な機能を行うことができるようにする補助端末の使用が増加している。
【０００４】
補助端末は、通常、腕時計、メガネ、ネックレスの形で用いられており、その中でも、腕時計タイプのスマートウォッチ（Ｓｍａｒｔ  Ｗａｔｃｈ）が最も普遍的に用いられている。このような特性のため、スマートウォッチは、ユーザーに晒される時間が携帯端末に比べて増加するしかない。一般に、携帯端末は、移動中には袋やバッグなどに収納して携帯するのに対し、スマートウォッチは、身体に着用状態で用いられるためユーザーが頻繁に確認する。特に、他のウェアラブル補助端末の中でも、スマートウォッチはユーザーの確認時間が最も長い装置といえる。
【０００５】
つまり、いくら優れたデザインおよび使用性を持っている場合でも、ユーザーが頻繁に接触すると、補助端末のデザインに飽きやすい。また、量産される製品の特性上、自分だけの特性を表現するのは難しい限界を持つ。
【発明の概要】
【発明が解決しようとする課題】
【０００６】
そこで、本発明の目的は、ユーザーの気分や状態を様々な方法で測定し、ユーザーの気分に応じてウェアラブル補助装置の表示色を変更することができるようにすることにより、スマート装置の個性を表現するとともにスマート装置の変色によってユーザーの気分を転換することができるようにした、ユーザーの状態に応じて表示色が変わるスマートウォッチを提供することにある。
【課題を解決するための手段】
【０００７】
上記目的を達成するために、ユーザーの状態に応じて表示色が変わるスマートウォッチは、表示部を有する出力部と、ユーザーまたはユーザーの周りの測定対象に対する状態情報を収集するセンサー部と、予め保存された状態組み合わせ情報と収集された前記状態情報とを比較して、前記状態組み合わせ情報の中から、前記状態情報に符合するいずれか一つの組み合わせ情報を選択し、前記組み合わせ情報にマッチした表示色を出力するように前記出力部を制御する制御部とを含んで構成される。
【０００８】
前記センサー部は、温度センサー、脈拍センサー、血圧センサー、加速度センサー、ＧＰＳセンサー、ジャイロセンサーおよび光センサーの少なくとも一つのセンサーと、カメラまたはマイクを含む入力装置とを含んで構成される。
【０００９】
前記表示色は、待機状態の前記表示部を介して出力される表示部の画面色、または機能実行中に表示部を介して出力されるアイコンまたはイメージのテーマ色である。
【００１０】
収集された前記状態情報は、前記測定対象別に定められる細分化レベルに基づいてレベルが決定され、前記レベルの決定された前記測定対象別情報が組み合わせられる。
【００１１】
保存部をさらに含んでなり、前記細分化レベルに基づいてレベルを決定するために前記測定対象別に予め定められる基準値が前記保存部に保存され、前記制御部は、前記基準値と前記状態情報とを比較して前記測定対象の測定値に対するレベルを決定する。
【００１２】
前記状態組み合わせ情報は、複数の前記測定対象を細分化されたレベル別に組み合わせて作成された複数の状態組み合わせと、複数の状態組み合わせそれぞれに対して決定された表示色とを含む。
【００１３】
前記制御部は、前記レベルが決定されて組み合わせられた前記状態情報と、複数の前記状態組み合わせとを比較して、マッチする前記状態組み合わせを検索し、前記検索された状態組み合わせに対応して保存された表示色を出力するように前記出力部を制御する。
【００１４】
前記スマートウォッチは、親装置である携帯端末との通信のためのＲＦ部をさらに含んでなり、親装置である前記携帯端末の機能の一部を代理して行い、前記ユーザーの身体に着用される装置である。
【００１５】
前記状態情報は、前記スマートウォッチおよび前記携帯端末の少なくとも一つで収集される。
【００１６】
前記状態情報の細分化レベル判断および前記表示色の決定過程は、前記スマートウォッチまたは前記携帯端末によって行われる。
【００１７】
前記携帯端末は、決定された表示色が出力されるように前記携帯端末の出力部を制御する。
【発明の効果】
【００１８】
本発明に係るユーザーの気分に応じて表示色が変わるスマートウォッチは、ユーザーの気分や状態を様々な方法で測定し、ユーザーの気分に応じてウェアラブル補助装置の表示色を変更することができるようにすることにより、スマート装置の個性を表現するとともにスマート装置の変色によってユーザーの気分を転換することができるようにすることが可能となる。
【図面の簡単な説明】
【００１９】
【図１】本発明の第１実施形態に係るスマートウォッチの構成を示す構成例示図である。
【図２】本発明の第１実施形態に係るユーザーの状態に応じた表示色の決定過程を説明するための例示図である。
【図３】本発明の第２実施形態に係るユーザーの状態に応じて表示色が変わるスマートウォッチの構成例を示す例示図である。
【発明を実施するための形態】
【００２０】
以下、添付図面を参照して、本発明の好適な実施形態を、当該分野における通常の知識を有する者が容易に実施し得るように説明する。添付図面において、構成に表記された図面番号は、他の図面においても同一の構成を表記するときに、できる限り同一の図面番号を使用していることに留意すべきである。また、本発明を説明するにあたり、関連した公知の機能または構成に対する具体的な説明が本発明の要旨を不明瞭にするおそれがあると判断される場合は、その詳細な説明を省略する。そして、図面に提示されたある特徴は、説明の容易さのために拡大または縮小または単純化されたものであり、図面およびその構成要素が必ずしも適切な割合で図示されてはいない。ところが、当業者であれば、これらの詳細を容易に理解するであろう。
【００２１】
しかも、本発明では、スマートウォッチを代表的に開示しているが、ウェアラブル補助機器の場合、本発明を基盤に本発明の技術を適用することができ、本発明の技術を単純に変形させて当業者によって容易に類推することができる範囲に含まれる。
【００２２】
図１は本発明の第１実施形態に係るスマートウォッチの構成を示す構成例示図である。図１を参照すると、本発明の第１実施形態に係るスマートウォッチは、制御部１０、出力部２０、入力部３０、センサー部４０、保存部５０およびＲＦ部６０を含んで構成される。
【００２３】
制御部１０は、出力部２０、入力部３０、センサー部４０、保存部５０およびＲＦ部６０を制御し、これらからデータを処理して、スマートウォッチが携帯端末の補助装置の役割を果たすようにするとともに、入力部３０およびセンサー部４０からの感知結果を処理して出力部２０を制御し、スマートウォッチの表示色を変更する。
【００２４】
具体的には、制御部１０は、入力部３０またはセンサー部４０から入力されるデータによって着用者であるユーザーの状態を分析し、分析結果に基づいてユーザーの状態に応じた表示色を決定してスマートウォッチの出力部２０が表示色を表現するように制御する。さらに詳細に説明すると、制御部１０は、入力部３０またはセンサー部４０から感知されるユーザーの情報を収集して、ユーザーが憤怒、興奮、運動による活性、沈鬱または沈滞、気分良さおよびその他の状態であるか否かを把握する。そして、制御部１０は、保存部５０に保存された表示色データを分析されたユーザーの状態と比較して表示色を決定する。
【００２５】
このとき、制御部１０は、表示色データを用いてユーザーの状態を転換させることができる表示色を決定したり、現在の状態をなるべく長く維持および向上させるための表示色を決定したりすることができる。具体的には、ユーザーが沈鬱、憤怒、怒った状態のように落ち着きが必要な場合、紫色系の冷たい色、または青、緑色のように鎮静効果のある色に表示色を決定する。一方、制御部１０は、ユーザーが気持ちの良い状態、活気に満ちた状態である場合には、このような状態をもっと長く持続させ且つさらに活性化するために、黄色系または赤色系の色に表示色を決定することができる。このようなユーザーの状態別表示色は、表示色データに対応するように保存できる。
【００２６】
一方、制御部１０は、決定された表示色の表現のために出力部２０を制御することができる。具体的には、制御部１０は、出力部２０の表示部２１が待機状態であるときに表示部２１を介して表示色が出力されるようにすることができる。または、表示部２１が活性状態、すなわち、特定の機能を行う過程で、当該機能のアイコンなどを表現するときに表示色がテーマの形で提供されるようにすることができる。つまり、ユーザーが文字を見ようとする場合、文字の背景または文字の色の表示色を用いて出力することにより、表示色が出力部２０を介して出力されるようにすることが可能である。このような制御部１０でユーザーの状態を分析する過程については、以下に再び説明する。
【００２７】
出力部２０は、スマートウォッチの機能が実行される結果を出力するとともに、制御部１０の制御に基づいて表示色を出力する。このため、出力部２０は、映像を表示する表示部２１を含んで構成され、表示色を表示部２１を介して出力する。この他にも、出力部２０は、音響の出力のためのスピーカーや、振動の発生のためのモーターを含むことができるが、図１ではこのような構成が省略されて表現されている。
【００２８】
入力部３０は、スマートウォッチの機能実現のための各種命令または情報が入力される。具体的には、入力部３０は、スマートウォッチの機能実行のためのユーザーの命令が入力されるタッチ入力部と、音声命令、通話、その他の音響が入力されるマイク３１と、映像が入力されるカメラ３２とを含んで構成される。タッチ入力部は、表示部２１に結合されたタッチスクリーンの形で提供できる。特に、入力部３０に含まれているカメラ３２およびマイク３１は、ユーザーの情報を収集する手段であり得る。すなわち、カメラ３２を介してユーザーの顔を認識するようにして、顔色の変化、紅潮の有無、表情の変化の入力を受けることができ、必要に応じて周辺環境の映像を撮影して制御部１０に伝達することができる。また、マイク３１の場合は、ユーザーの音声の入力を受けて制御部１０に伝達することができる。つまり、入力部３０のカメラ３２を介して入力されるユーザーの表情、皮膚トーン、瞳孔情報、およびマイク３１によって入力されるユーザーの音声を分析すると、ユーザーの気分または状態を判断することができ、これにより表示色を決定することが可能となる。
【００２９】
センサー部４０は、スマートウォッチの一般な機能を実行するための各種情報を収集して制御部に伝達する役割を果たす。特に、センサー部４０は、ユーザーの状態を判断することが可能な情報を収集して制御部１０に伝達する。このため、センサー部４０は、温度センサー４１、脈拍センサー４２および加速度センサー４３を含んで構成できる。
【００３０】
温度センサー４１は、ユーザーの身体温度を測定して制御部１０に伝達する。制御部１０は、ユーザーの身体温度を他の情報と一緒に用いてユーザーの状態を分析する。脈拍センサー４２は、ユーザーの脈拍を測定して制御部１０に伝達する。加速度センサー４３は、スマートウォッチに加わる加速度を測定して制御部１０に伝達する。このような各センサーと入力部３０によって収集される情報を用いてユーザーの状態を判断する過程については、以下にさらに詳細に説明する。
【００３１】
保存部５０は、スマートウォッチの駆動のためのプログラム、スマートウォッチで実行されるプログラムのデータが保存され、特に、ユーザーの状態を判断し且つ表示色を決定するための表示色データが保存される。また、保存部５０は、入力部３０とセンサー部４０で作成されて制御部１０に収集される情報の伝達を制御部１０から受けて保存し、制御部１０の要求に応じて提供することにより、制御部１０がユーザーの状態を分析することができるようにする。
【００３２】
ＲＦ部６０は、スマートウォッチの駆動のために、携帯端末およびＢｌｕｅｔｏｏｔｈ（登録商標）機器との通信を行う役割を果たす。
【００３３】
図２は本発明の第１実施形態に係るユーザーの状態に応じた表示色の決定過程を説明するための例示図である。図２を参照すると、本発明のスマートウォッチは、ユーザーの状態に関する情報を収集し、これを分析してユーザーの状態を判断した後、判断結果に基づいてスマートウォッチの表示色またはディスプレイテーマを変更して提供することにより、ユーザーの良い気分が維持されるようにするか、或いはユーザーの悪い気分が短時間内に緩和されるようにする役割を果たす。これと共に、表示色を頻繁に変更してよく利用することにより、飽きやすいスマートウォッチに対して常に新しい感じを提供してユーザーが装置に愛着を持つことができるようにする。
【００３４】
このため、本発明のスマートウォッチは、入力部３０とセンサー部４０を介して入力される情報に基づいてユーザーの状態をできる限り正確に判断する。判断結果に基づいてスマートウォッチの表示色を決定してアイドル時間中の表示画面色または機能実行中のテーマ色を変更する。
【００３５】
このため、図１によって説明したように、制御部１０は、入力部３０またはセンサー部４０を介して収集されたユーザーの状態情報を用いてユーザーの状態を判断し、判断結果に基づいて表示色（表示画面の色またはテーマ色）を決定して出力部２２０を制御する。
【００３６】
本発明は、ユーザーの状態に応じた表示色の決定のために、ユーザーに対してさまざまな状態を測定し、これにより収集されたユーザーの状態情報を用いる。
【００３７】
具体的に、顔色、瞳孔、脈拍、体温、声、周囲明るさ、周囲温度、活動度などの要素がユーザーの状態を分析するための測定対象として用いられる。
【００３８】
顔色、瞳孔、周囲明るさといった測定対象は、スマートウォッチに構成されるカメラ、およびカメラに構成される光センサーモジュールを用いて測定し、体温と周囲温度は、スマートウォッチに構成される温度センサーを用いて測定する。また、脈拍は脈拍センサーを用いて測定し、活動度は加速度センサーおよびＧＰＳセンサーを用いて測定することができる。この他にも、スマートウォッチにジャイロセンサーなどのその他のセンサーが構成される場合、これらはユーザーの状態測定に利用することが可能である。
【００３９】
本発明のスマートウォッチは、さまざまな種類のセンサー４０と入力装置を用いて各種測定対象を測定することにより、ユーザーの状態を正確に測定および分析し、これにより適切な表示色を決定して出力することにより、機能的または審美的な効果を向上させることができる。
【００４０】
さらに具体的に説明すると、本発明では、図２に示すように、測定対象の指標を分類したテーブルと各測定対象の指標とを組み合わせた状態組み合わせが構成され、状態組み合わせ別の表示色が決定されたルックアップテーブルが作成されて保存される。状態組み合わせは、ユーザーに対して測定された複数の測定対象を組み合わせたものであって、ユーザーが直面することができる状態のうち、測定対象を測定して予測可能な状態を、制御部で認識可能な形にして構成したものである。
【００４１】
このような状態組み合わせが必要な理由は、単純指標測定でユーザーの状態を正確に予測することが難しいことにある。このため、本発明では、さまざまな種類の測定対象を測定して状態組み合わせを構成し、状態組み合わせに応じた表示色を決定して速い処理が行われるようにした。
【００４２】
特に、測定対象を測定した場合、各測定値を等級別に区分して状態組み合わせを細分化する。例えば、顔色は「赤い（ａ１）」、「普通（ａ２）」、「青白い（ａ３）」に区分し、瞳孔は「拡大（ｂ１）」、「縮小（ｂ２）」、脈拍は「速い（ｃ１）」、「普通（ｃ２）」、「遅い（ｃ３）」、体温は「高い（ｄ１）」、「普通（ｄ２）」、「低い（ｄ３）」、声は「興奮（ｅ１）」、「平穏（ｅ２）」、周囲明るさは「明るい（ｆ１）」、「普通（ｆ２）」、「暗い（ｆ３）」、周囲温度は「高い（ｇ１）」、「普通（ｆ２）」、「低い（ｆ３）」、活動度は「速い動き（ｈ１）」、「遅い動き（ｈ２）」および「動きなし（ｈ３）」にそれぞれ区分する。このように測定対象の値を細分化し、この細分化した値を組み合わせることにより、ユーザーの状態を正確に予測することが可能である。
【００４３】
たとえば、ユーザーの状態を測定対象のいずれか一つの指標のみに頼って分析する場合、ユーザーの状態を誤って判断し、表示色を表現し間違えることにより、機能的、審美的機能を低下させるおそれがある。たとえば、ユーザーの体温だけでユーザーの状態を判断する場合は、運動による体温上昇であるのか、室内の温度が高くて体温が上がったのか、病気または怒りによる体温上昇であるのかを確認し難くなる。概して、ほとんどの場合は、青色または緑色系の色を提供することにより落ち着かせることが可能であるが、気分の良い状態での体温上昇の場合、青色または緑色系の色を提供すると、結果的に良い気分が持続されることを妨害する要素として作用する可能性がある。
【００４４】
よって、本発明では、ユーザーから測定できる様々な指標を測定し、この測定された指標を各等級別に区分し、各等級の組み合わせに応じて、ユーザーが同様の条件であってもどんな感情状態であるのか、どんな活動状態であるのかなどを精密分析する。各状態に応じて決定された表示色を出力して機能的、審美的機能を向上させる。
【００４５】
このため、制御部１０は、入力部３０またはセンサー部４０の各センサーから入力される情報を、予め定められた基準に基づいて分類して測定値のレベルを細分化する。つまり、カメラを介して顔を撮影したデータが伝達される場合、顔色を準備された既存のイメージと比較してデータの等級を決定する。同様に、瞳孔の場合も、予め撮影された映像のイメージとカメラを介して提供されたデータとを比較して、瞳孔が拡大したか否かを確認する。このように、制御部１０は、予め保存部２５０に保存された基準値と、入力部３０およびセンサー部４０を介して入力された測定値とを比較して、細分化されたレベルの中から、現在状態に適したレベルを選択する。
【００４６】
一方、保存部２５０には、さまざまな種類の測定対象を細分化されたレベル別に組み合わせた状態組み合わせと、各状態組み合わせ別の表示色が決定されて保存される。この状態組み合わせは、制御部１０が測定値に基づいて決定した各測定対象の細分化レベルの組み合わせと比較される値として用いられる。つまり、制御部１０は、測定対象の細分化レベルの組み合わせと同じ状態組み合わせを検索し、検索された状態組み合わせに決定されている表示色を確認して、該当表示色が出力部２２０を介して出力されるように出力部２２０を制御する。
【００４７】
具体的に、状態組み合わせは、図２に示すように、顔色が赤く、瞳孔が拡大し、脈拍が速く、体温が高く、声は興奮しており、周囲明るさが明るく、周囲温度が高く、ユーザーの活動度が速い動きの状態を示すａ１ｂ１ｃ１ｄ１ｅ１ｆ１ｇ１ｈ１のように表現される。このときの表示色は、ユーザーが屋外で運動をする状態と判断される。よって、運動の緊張感を緩和させることが可能な緑色系の表示色が決定できる。このような方式で、各測定対象別に細分化されたレベルを全て組み合わせたものが状態組み合わせであり、これらそれぞれに対して表示色が決定される。
【００４８】
このように、複数の測定対象別状態を細分化して判断し、いずれか一つの測定対象だけを利用するのではなく、複数の測定対象を複合的に考慮することによりユーザーの状態を正確に判断し、該当状態で最適な表示色を提供し、これにより表示色による効果が向上するようにすることが可能となる。
【００４９】
図３は本発明の第２実施形態に係るユーザーの状態に応じて表示色が変わるスマートウォッチの構成例を示す例示図である。本発明の第２実施形態を説明するにあたり、前述した第１実施形態と同様の構成、および第１実施形態により容易に変更可能な構成については詳細な説明を省略する。
【００５０】
本発明の第２実施形態に係るスマートウォッチは、スマートウォッチ２００と、スマートウォッチ２００の親端末の役目をする携帯端末３００とを含んで構成される。スマートウォッチ２００は、制御部２１０、出力部２２０、入力部２３０、センサー部２４０、保存部２５０およびＲＦ部２６０を含んで構成できる。また、携帯端末３００は、端末制御部３１０、端末出力部３２０、端末入力部３３０、端末センサー部３４０、端末保存部３５０および端末ＲＦ部３６０を含んで構成される。
【００５１】
前述した第１実施形態は、ユーザーの状態を測定して決定された状態情報と、予め決定された状態組み合わせとを比較して、状態組み合わせのうち、現在ユーザーの状態と同じ状態組み合わせを探し出し、該当状態組み合わせに決定された表示色をスマートウォッチの表示色に適用する構成を記載している。本発明の第２実施形態も、前述した第１実施形態と同様であり、ユーザーの状態を分析し、予め決定された状態組み合わせと比較して表示色を決定し、決定された表示色をスマートウォッチの表示色として適用するという点では同様である。
【００５２】
但し、第２実施形態の場合は、ユーザーの現状態を測定および分析する過程が、スマートウォッチ２００が携帯端末３００と通信することにより行われるという点で違いがある。また、スマートウォッチ２００と携帯端末３００とが通信を行う過程で、ユーザーの状態を測定する測定データとこれによる分析結果とが相互交換でき、表示色の決定が携帯端末３００によって行われ得る。
【００５３】
より具体的には、図３に示すように、スマートウォッチ２００と携帯端末３００は、それぞれ制御部２１０と端末制御部３１０を含んで構成され、この他にも、入力部２３０と端末入力部３３０、センサー部２４０と端末センサー部３４０を含んで構成できる。つまり、ユーザーの状態測定がスマートウォッチ２００と携帯端末３００の両方で行われ得る。特に、スマートウォッチ２００と携帯端末３００の両方が同じ測定対象を測定して値を比較することもできるが、スマートウォッチ２００と携帯端末３００の入力部２３０、３３０とセンサー部２４０、３４０の構成が互いに異なる場合、互いに測定または入力できる情報の入力を受け、これらを組み合わせて使用することが可能である。
【００５４】
つまり、スマートウォッチ２００には、入力部２３０にカメラとマイクが構成され、センサー部２４０に温度センサーのみ存在し、携帯端末３００にはカメラとマイク、センサー部３４０にはＧＰＳセンサー、加速度センサー、ジャイロセンサーが構成され、互いに異なる種類のセンサーが構成される場合、スマートウォッチ２００と携帯端末３００の各センサーが測定したデータをユーザーの状態分析に一緒に用いることができる。特に、同一の装置、例えば、マイクとカメラのように同一の装置がスマートウォッチ２００と携帯端末３００の両方に同様に構成される場合、スマートウォッチ２００と携帯端末３００の同じ装備で測定された値の平均値を用いるか、或いはこれらのうちの相対的に性能に優れた装置を用いてユーザーの状態を測定することができる。
【００５５】
同様に、ユーザーの状態判断および表示色の決定も、スマートウォッチ２００および携帯端末３００のいずれか一方で行われてもよく、スマートウォッチ２００と携帯端末３００の両方で状態判断および表示色の決定が行われた後、決定事項を比較することができる。ここで、スマートウォッチ２００と携帯端末３００の両方で状態判断および表示色の決定が行われる場合は、スマートウォッチ２００で決定された表示色と携帯端末３００で決定された表示色とが互いに異なると、再結晶過程を経るか、或いはいずれか一つの装置２００、３００の決定事項を優先して表示色を適用することができる。
【００５６】
さらに、表示色が決定される場合、スマートウォッチ２００だけでなく、携帯端末３００の端末制御部３１０が端末出力部３２０の端末表示部３２１に表示色を適用するように制御することができる。
【００５７】
このため、スマートウォッチ２００または携帯端末３００には、入力部２３０、３３０に、カメラ、マイク、光センサー（または光感度センサー）を含んで構成でき、センサー部２４０、３４０には、脈拍センサー、温度センサー、加速度センサー、ＧＰＳセンサー、ジャイロセンサー、血圧センサーなどのセンサーがそれぞれまたは分けられて構成できるが、これにより本発明を限定するのではない。また、図２に示された測定対象の細分化レベル、これを決定するための基準値、状態組み合わせおよび表示色が決定されたルックアップテーブルは、ユーザーの状態判断および表示色を決定する主体となる装置２００、３００の保存部２５０、３５０に保存できる。
【００５８】
以上、本発明の技術的思想を例示するために具体的な実施形態として図示および説明したが、本発明は、前述のように、具体的な実施形態と同様の構成および作用にのみ限定されず、様々な変形が本発明の範囲から外れない範疇内で実施できる。よって、それらの変形実施も本発明の範囲に属するものと見なすべきであり、本発明の範囲は後述する特許請求の範囲によって決定されるべきである。
【産業上の利用可能性】
【００５９】
本発明に係るユーザーの気分に応じて表示色が変わるスマートウォッチは、ユーザーの気分や状態を様々な方法で測定し、ユーザーの気分に応じてウェアラブル補助装置の表示色を変更することができるようにすることにより、スマート装置の個性を表現するとともにスマート装置の変色によってユーザーの気分を転換することができるようにすることが可能であり、これによりヘルスケアサービスのための端末装置として利用可能である。
【図１】
0006648291.tif 000002
【図２】
0006648291.tif 000003
【図３】
0006648291.tif 000004